(57)【要約】【課題】ホースの手元操作部の小型軽量化による操作性の向上や、集塵部の取り外し時の使い勝手の向上が図られた電気掃除機を提供する。【解決手段】ホースグリップ部近傍に着脱可能な集塵部６を備えた電気掃除機において、集塵部６にホースグリップ部を兼用する取手部９を備えた。【選択図】　　　　図１
2004033313.tif 000002
【特許請求の範囲】
【請求項１】
ホースグリップ部近傍に着脱可能な集塵部を備えた電気掃除機において、
前記集塵部にホースグリップ部を兼用する取手部を備えたことを特徴とする電気掃除機。
【請求項２】
前記集塵部がサイクロン方式の集塵部であることを特徴とする請求項１記載の電気掃除機。
【請求項３】
前記集塵部は有底筒状の集塵カップで構成されると共に、当該集塵カップが装着部に装着された状態で回動するのを防ぐ構造を有することを特徴とする請求項１又は請求項２記載の電気掃除機。
【請求項４】
前記集塵カップと装着部を楕円筒状に形成したことを特徴とする請求項３記載の電気掃除機。
【請求項５】
前記集塵部の着脱を検知して、集塵部が装着部に装着されていないときは電動送風機への電源投入を不可とする手段を備えたことを特徴とする請求項１ないし請求項４のいずれかに記載の電気掃除機。
【請求項６】
前記集塵部を装着部に装着した状態でロックするロック機構を複数備えたことを特徴とする請求項１ないし請求項５のいずれかに記載の電気掃除機。
【発明の詳細な説明】
【０００１】
【発明の属する技術分野】
本願発明は、ホースグリップ部近傍に着脱可能な集塵部を備えた電気掃除機に関するものである。
【０００２】
【従来の技術】
ホースグリップ部近傍に着脱可能な集塵部を備えた電気掃除機として、吸気を旋回させることで塵埃と空気とを分別するサイクロン方式の集塵部を手元操作部のあるホースグリップ部近傍に設けたものがあり、集塵部に溜まった塵埃を適時手元操作部から取り外して捨てるようになっている。
【０００３】
【発明が解決しようとする課題】
ところで、上記のように集塵部を手元操作部のあるホースグリップ部近傍に設けたものは、他の方式の電気掃除機に比べて、どうしても手元操作部が大きく、重くなり、操作性が低下する。また、掃除をするときに持つホースグリップ部と集塵部の着脱時に持つ部分が異なるため、使用者は集塵部に溜まった塵埃を捨てる際には、ホースグリップ部を持つ手を持ち替えて集塵部を取り外す必要があり、不便であった。
【０００４】
また、集塵部を手元操作部から取り外した状態で、使用者が電動送風機を動作させると、吸い込みの流路が変わり、塵埃を含んだ吸気は集塵部を通らず、塵埃と空気とが分別されない状態のまま電動送風機側へ吸い込まれてしまうため、電動送風機の手前に設けられた微塵捕集フィルタの目詰まりを早め、さらには電動送風機のモータの寿命に悪影響を及ぼすることになる。
【０００５】
そこで、本願発明はこのような課題を解決するためになされたものであり、ホースの手元操作部の小型軽量化による操作性の向上や、集塵部の取り外し時の使い勝手の向上が図られた電気掃除機を提供することを目的とするものである。
【０００６】
また、集塵部が装着部に装着されていなければ、電動送風機が動作しない電気掃除機を提供することを目的とするものである。
【０００７】
【課題を解決するための手段】
上記のような目的を達成するために、本願発明は、ホースグリップ部近傍に着脱可能な集塵部を備えた電気掃除機において、前記集塵部にホースグリップ部を兼用する取手部を備えたことを特徴とするものである。
【０００８】
さらに、前記集塵部がサイクロン方式の集塵部であることを特徴とするものである。
【０００９】
また、前記集塵部は有底筒状の集塵カップで構成されると共に、当該集塵カップが装着部に装着された状態で回動するのを防ぐ構造を有することを特徴とするものである。
【００１０】
具体的には、前記集塵カップと装着部を楕円筒状に形成したことを特徴とするものである。
【００１１】
また、前記集塵部の着脱を検知して、集塵部が装着部に装着されていないときは電動送風機への電源投入を不可とする手段を備えたことを特徴とするものである。
【００１２】
また、前記集塵部を装着部に装着した状態でロックするロック機構を複数備えたことを特徴とするものである。
【００１３】
【発明の実施の形態】
以下、本願発明の一実施形態を図１〜図１１を参照して詳細に説明する。
【００１４】
本実施形態の電気掃除機は、吸引用の電動送風機１やその吸引側に配置された微塵捕集フィルタ２等が内蔵された掃除機本体３、ホース４、このホース４の先端部にある手元操作部５に着脱可能に取り付けられてサイクロン方式の集塵部を構成する有底筒状の集塵カップ６、延長管７、床用吸込具８などから構成されている。そして、上記集塵カップ６に、ホースグリップ部を兼用する取手部９が集塵カップ６の側面と底面側を連結する形状で一体に取り付けられている。
【００１５】
上記集塵カップ６は、その開口部側を手元操作部５の下部側に形成された装着部１０内周に嵌め込むようにして装着される。これら集塵カップ６と装着部１０は図３，図４に示すように縦長の楕円筒状に形成されている。
【００１６】
上記装着部１０の他端側には、延長管７が接続される接続管１１と、ホース４の先端部が筒状の保護カバー１２で覆われて取り付けられており、ホース４の先端開口側に集塵カップ６側に向かって円錐台状に形成されたフィルタ１３が配置されるように構成されている。これにより、図１１に示すように床用吸込具８、延長管７及びその接続管１１を介して吸引される吸気が接続管１１から円錐台状のフィルタ１３の外周に沿って螺旋状に旋回しながら集塵カップ６内に入り、遠心力により塵埃を分離した後の空気がフィルタ１３を介してホース４側に吸引されるようになっている。
【００１７】
本実施形態では、上記集塵カップ６を装着部１０に装着した状態でロックするロック機構を複数備えている。
【００１８】
すなわち、楕円筒状の装着部１０には、下側から装着部１０の外周に沿った略Ｕ字形のクランプアーム１４が取り付けられている。このクランプアーム１４は、下部側が軸１５に取り付けられ、上部両側の内側に突出して形成された爪１６が装着部１０側に形成された円弧状の長孔１７に嵌め込まれて、円弧状の長孔１７の範囲内で前後に回動可能となっている。クランプアーム１４の下部側には、軸１５より開口部側にスプリング１８が圧縮した状態で装着され、その反対側には装着部１０底部に形成された孔１９から突出する爪２０が形成されている。この爪２０に対応して集塵カップ６の底部外面側にも爪２１が形成されている。
【００１９】
また、上記クランプアーム１４の両側の内面側に対応する装着部１０には、側壁をコ字状に切り抜いて形成された弾性ヒンジ２２が設けられており、その先端に内側に突出する縦長の凸部２３が形成されている。この弾性ヒンジ２２の凸部２３に対応して、集塵カップ６の両側壁外面には図８，図９に示すように上記弾性ヒンジ２２の凸部２３と圧接する凸部２４が形成され、また、クランプアーム１４側には、図９に示すように集塵カップ６の装着完了時に上記弾性ヒンジ２２の凸部２３の背面側に当接する凸部２５が形成されている。
【００２０】
以上の構成において、集塵カップ６の装着部１０への装着時、クランプアーム１４は、図５に示すようにクランプアーム１４の底部がスプリング１８で押され、軸１５を支点に回動して後方側に傾いている。
【００２１】
一方、集塵カップ６の装着が完了する直前には、図６に示すように、集塵カップ６の底部外面に形成された爪２１によりクランプアーム１４の下部から装着部１０内に突出する爪２０が押されて、クランプアーム１４は前記図５とは反対側に回動する。このとき、図８に示すように集塵カップ６の両側壁側の凸部２４は弾性ヒンジ２２の凸部２３を乗り越えておらず、まだロックされていない。
【００２２】
集塵カップ６の装着が完了すると、図７に示すように、集塵カップ６の底部外面側の爪２１はクランプアーム１４の下部から装着部１０内に突出する爪２１に引っかかってロックされる。このとき同時にシールパッキン２６により集塵カップ６がシールされる。
【００２３】
また、図９に示すように、集塵カップ６の両側壁の凸部２４は、装着部１０の弾性ヒンジ２２の凸部２３を押し除けてその奥まで入る。このとき、中立位置に戻ったクランプアーム１４の両側壁内側の凸部２５が上記弾性ヒンジ２２の凸部２３背面側に当接する位置に来るので、弾性ヒンジ２２は外側への変形が規制されて、集塵カップ６がロックされる。
【００２４】
このように集塵カップ６は、下部と両側壁で二重にロックされるようになっているので、一度、集塵カップ６を装着して固定すると、一定以上の力でクランプアーム１４を回動させて取り外す必要があるため、取手部９がホースグリップ部として用いられる集塵カップ６が掃除中に外れることはない。
【００２５】
上記のようにして集塵カップ６が装着された状態で、掃除機本体３の電動送風機１が駆動されると、図１１を用いて前述したように床用吸込具８、延長管７及びその接続管１１を介して吸引される吸気が接続管１１から円錐台状のフィルタ１３の外周に沿って螺旋状に旋回しながら集塵カップ６内に入り、遠心力により塵埃を分離した後の空気がフィルタ１３を介してホース４側に吸引される。
【００２６】
上記掃除中には、集塵カップ６の取手部９をホースグリップ部として持って操作することにより、従来のホースグリップ部と同様に掃除することができる。なお、この掃除中の操作時には、ホースグリップ部として用いられる集塵カップ６の取手部９に操作方向等を変えるための回動力が加わるが、本実施形態では、集塵カップ６及び装着部１０が楕円筒状に形成されているため、上記のような回動力が加わっても集塵カップ１０が装着部１０内で回動するような不具合は生じない。
【００２７】
集塵カップ６が塵埃で一杯になれば、ホースグリップ部としての集塵カップ６の取手部９を持った手を持ち替えることなく、他方の手でクランプアーム１４のスプリング１８側を一定の力で押し上げるようにすれば、集塵カップ６のロック状態が解除されて取り外すことができ、そのまま集塵カップ６内に溜まった塵埃を容易に廃棄することができる。
【００２８】
以上のように、集塵カップ６にホースグリップ部を兼用する取手部９を備えたことにより、一つの取手部９で操作時のホースグリップ部と集塵カップ６の着脱時の取手部を実現できるので、ホース４の手元操作部５の小型軽量化による操作性の向上を図ることができると共に、集塵カップ６の取り外し時の使い勝手の向上が図れる。
【００２９】
なお、集塵カップ６の回動を防ぐ構造としては、図１２に示すように、集塵カップ６を円筒形状にして、両側壁に横長の凸部３０を形成し、これに対応して装着部１０側に上記凸部３０が挿入される溝を形成することも可能である。しかし、凸部３０を設けただけでは凸部３０だけに負荷がかかり、破損しやすくなるので、上記実施形態のように楕円筒状にするなどして面で負荷を分散するように構成する方が、集塵カップ６の回動を効率良く防ぐことができて好ましい。
【００３０】
図１３，図１４は本願発明の他の実施形態の要部構成及び作用を示す縦断面図であり、前記実施形態と同一符号は同一又は相当部分を示している。
【００３１】
前記実施形態と異なる点は、装着部１０に、集塵カップ６の着脱を検知して、集塵カップ６が装着部１０に装着されていないときは電動送風機１への電源投入を不可とするマイクロスイッチ４０を備えたものである。
【００３２】
このように構成することにより、図１３に示すように、集塵カップ６が装着部１０に正しく装着されていれば、マイクロスイッチ４０がＯＮとなって、電源が入り、手元操作部５を操作して、電動送風機１への電源投入が可能となるが、図１４に示すように、集塵カップ６を取り外すと、マイクロスイッチ４０がＯＦＦ状態となって、電源が入らず、手元操作部５を操作しても電動送風機１への電源投入は不可となる。
【００３３】
これにより、吸気中の塵埃が集塵されずに電動送風機１側に吸引されるのを防ぐことができるので、電動送風機１の手前に配置された微塵捕集フィルタ２の目詰まりを防止すると共に、電動送風機１のモータの寿命が短くなることも防止できる。
【００３４】
なお、本願発明はサイクロン方式以外ものにも適用可能であるが、小型軽量化や塵埃の廃棄し易さが要求されるサイクロン方式のものに適用して、特に効果的である。
【００３５】
【発明の効果】
以上のように本願発明によれば、ホースグリップ部近傍に着脱可能な集塵部を備えた電気掃除機において、集塵部にホースグリップ部を兼用する取手部を備えたことにより、一つの取手部で操作時のホースグリップ部と集塵部の着脱時の取手部を実現できるので、ホースの手元操作部の小型軽量化による操作性の向上や集塵部の取り外し時の使い勝手の向上が図れる。
【００３６】
さらに、小型軽量化や塵埃の廃棄し易さが要求されるサイクロン方式のものに適用して、特に効果的である。
【００３７】
また、前記集塵部は有底筒状の集塵カップで構成されると共に、当該集塵カップが装着部に装着された状態で回動するのを防ぐ構造を有するので、掃除中の操作時に、ホースグリップ部として用いられる集塵部の取手部に操作方向等を変えるための回動力が加わっても集塵部が回動するような不具合は生じない。
【００３８】
具体的には、前記集塵カップと装着部を楕円筒状に形成することにより、面で負荷を分散することができるので、集塵部の回動を効率良く防ぐことができて好ましい。
【００３９】
また、前記集塵部の着脱を検知して、集塵部が装着部に装着されていないときは電動送風機への電源投入を不可とする手段を備えることにより、吸気中の塵埃が集塵されずに電動送風機側に吸引されるのを防ぐことができるので、電動送風機の手前に配置された微塵捕集フィルタの目詰まりを防止すると共に、電動送風機のモータの寿命が短くなることも防止できる。
【００４０】
また、前記集塵部を装着部に装着した状態でロックするロック機構を複数備えることにより、装着部に集塵部を装着した状態でより強固にロックすることができるので、集塵部の取手部をホースグリップ部として用いても掃除中に集塵部が外れることはない。
【図面の簡単な説明】
【図１】本願発明の一実施形態による電気掃除機の全体構成を示す部分断面図。
【図２】上記実施形態の要部側面図。
【図３】同じく、集塵カップを示す図で、（ａ）は正面図、（ｂ）は側面図。
【図４】上記図２のＡ−Ａ断面図
【図５】上記集塵カップを装着するときの状態を側面側から見た一部断面図。
【図６】同じく、装着完了直前の状態を側面側から見た一部断面図。
【図７】同じく、装着完了時の状態を側面側から見た一部断面図。
【図８】上記図６のＢ１−Ｂ１断面図。
【図９】上記図７のＢ２−Ｂ２断面図。
【図１０】上記図８，図９のＣ−Ｃ断面図。
【図１１】上記実施形態の掃除中における吸気の流れを示す説明図。
【図１２】集塵カップの他の構成例を示す図で、（ａ）は正面図、（ｂ）は側面図。
【図１３】本願発明の他の実施形態の要部構成及び作用を示す縦断面図。
【図１４】同じく、上記他の実施形態の要部構成及び作用を示す縦断面図。
【符号の説明】
１　電動送風機
２　微塵捕集フィルタ
３　掃除機本体
４　ホース
５　手元操作部
６　集塵カップ
７　延長管
８　床用吸込具
９　取手部（ホースグリップ部）
１０　装着部
１３　フィルタ
１４　クランプアーム
１５　軸
１６，２０，２１　爪
１７　長孔
１８　スプリング
１９　孔
２２　弾性ヒンジ
２３，２４，２５　凸部
４０　マイクロスイッチ
【図１】
2004033313.tif 000003
【図２】
2004033313.tif 000004
【図３】
2004033313.tif 000005
【図４】
2004033313.tif 000006
【図５】
2004033313.tif 000007
【図６】
2004033313.tif 000008
【図７】
2004033313.tif 000009
【図８】
2004033313.tif 000010
【図９】
2004033313.tif 000011
【図１０】
2004033313.tif 000012
【図１１】
2004033313.tif 000013
【図１２】
2004033313.tif 000014
【図１３】
2004033313.tif 000015
【図１４】
2004033313.tif 000016